(57)【要約】【課題】伸縮ポールを駆動し長さを変化させ、テントフレームの展開/収納変化を実現するプッシュポール式テントフレームを提供する。【解決手段】プッシュポール式テントフレームは底台１、テントフレームポール２及びコントロール機構を備える。テントフレームポール２の平行に設置する２組のサポートポールユニット２０は順番に可動接続するサポートポール２１、上サポートポール及び下サポートポール２３それぞれ備える。サポートポール２１の反対端は底台１１前端に可動接続し、下サポートポール２３の反対端は底台１後端に可動接続する。コントロール機構は２組のサポートポールユニット２０上に可動接続し、しかも駆動装置３３を備える伸縮プッシュポール機構３を備える。【選択図】  図４
2016050386.tif 000002
【特許請求の範囲】
【請求項１】
プッシュポール式テントフレームであって、底台、テントフレームポール及びコントロール機構を備え、
前記テントフレームポールは、前記底台左右両側に平行に設置する２組のサポートポールユニットを備え、前記２組のサポートポールユニットは、相互に順番に可動接続するサポートポール、上サポートポール及び下サポートポールをそれぞれ備え、前記サポートポールの反対端は、前記底台前端に可動接続し、前記下サポートポールの反対端は、前記底台の後端に可動接続し、
前記コントロール機構は、前記２組のサポートポールユニット上にそれぞれ可動接続し、しかも駆動装置を備える伸縮プッシュポール機構３を備え、前記各伸縮プッシュポール機構の一端は、前記底台左右両側の後部に近い位置にそれぞれ可動接続し、反対端は、前記上サポートポール或いは前記下サポートポール上に可動接続することを特徴とするプッシュポール式テントフレーム。
【請求項２】
前記伸縮プッシュポール機構は、シートポール、及び前記シートポール中で伸縮運動を行うプッシュポールを備え、さらに前記プッシュポールを駆動し、前記シートポールに対して運動させる駆動装置を備えることを特徴とする請求項１に記載のプッシュポール式テントフレーム。
【請求項３】
前記シートポールの下端は、固定台を通して、前記底台と可動接続し、
前記プッシュポールの上端は、連接台を通して、前記上サポートポール或いは前記下サポートポールと可動接続することを特徴とする請求項２に記載のプッシュポール式テントフレーム。
【請求項４】
前記シートポールの下端は、前記固定台を通して、前記底台と可動接続し、
前記プッシュポールの上端は、前記下サポートポールと前記上サポートポールが可動接続した可動接続モジュール上に可動接続されることを特徴とする請求項２に記載のプッシュポール式テントフレーム。
【請求項５】
前記テントフレームポールは、サブサポートポールを備え、
前記サブサポートポールは、Ｕ字型湾曲ポールで、その両端は、前記上サポートポール上に一方向に可動接続することを特徴とする請求項１に記載のプッシュポール式テントフレーム。
【請求項６】
前記テントフレームポールは、サブサポートポールを備え、
前記サブサポートポールは、Ｕ字型湾曲ポールで、その両端は、前記下サポートポールと前記上サポートポールが可動接続した可動接続モジュール上に、一方向にそれぞれ可動接続されることを特徴とする請求項１に記載のプッシュポール式テントフレーム。
【発明の詳細な説明】
【技術分野】
【０００１】
本発明は、テント構造に関し、プッシュポール式テントフレームに関する。
【背景技術】
【０００２】
自家用車の普及に従い、車での外出は、新しい旅のスタイルとなっている。車での外出の利便性を高めるため、車に付属する車に用いる製品が開発され始め、車用テントは、このような環境下で生まれた。
【０００３】
車用テントは、車のボンネット上に設置できるテントである。使用時には、他のテントのように地面に接触しないため、地面の湿気が入り込みにくく、比較的快適である。
【０００４】
従来の車用テントのテントフレームは、一般に、多数組のフレームポールが連接して構成される。テントの折畳みの利便のために、各フレームポールの間は、関節等を通して可動接続する。テントの展開のため、さらに固定構造を設置する。テントの展開或いは折畳みテント時には、しばしば各関節或いは固定構造等に対してそれぞれ操作を行う必要があるため、操作過程は面倒で、比較的長い時間がかかり、使用において非常に不便である。
【０００５】
上記した状況に対応し、半自動或いは全自動折畳み/展開可能な車のボンネットテントが開発された。特許文献１に開示する本出願人が申請した自動テントは、図１に示すように、中央サポートポール２３’底端の底台上でのスライドをコントロールし、牽引ロープ３１’の自由端を中央サポートポール２３’の底端に連接し、駆動装置を利用してロープリール３２’の巻き取り或いは迅速リリースを駆動し、テントに対する折畳み或いは展開を実現する。
【先行技術文献】
【特許文献】
【０００６】
【特許文献１】中国特許第２０１１２０２４０２２６.０号公報
【発明の概要】
【発明が解決しようとする課題】
【０００７】
しかし、上述した特許文献１は使用上に欠点があり、改善する必要がある。その原因は下記の通りである。
【０００８】
特許文献１では、牽引ロープ３１’設置のルートが長いため、露出している牽引ロープ３１’は、故障し易いため、自動折畳み/展開のテントは、理想的でない。
【０００９】
本発明は、上述の問題に鑑みてなされたものであり、その目的は、構造がより簡単で、性能が安定して信頼できるプッシュポール式テントフレームを提供することにある。
【課題を解決するための手段】
【００１０】
本発明によるプッシュポール式テントフレームは、底台、テントフレームポール及びコントロール機構を備える。
テントフレームポールは、底台左右両側に平行に設置する２組のサポートポールユニットを備え、２組のサポートポールユニットは、相互に順番に可動接続するサポートポール、上サポートポール及び下サポートポールをそれぞれ備える。
サポートポールの反対端は、底台前端に可動接続し、下サポートポールの反対端は、底台の後端に可動接続する。
コントロール機構は、２組のサポートポールユニット上にそれぞれ可動接続し、しかも駆動装置を備える伸縮プッシュポール機構を備える。
【００１１】
各伸縮プッシュポール機構の一端は、底台左右両側の後部に近い位置にそれぞれ可動接続し、反対端は、上サポートポール或いは下サポートポール上に可動接続する。
伸縮プッシュポール機構は、シートポール、及びシートポール中で伸縮運動を行うプッシュポールを備え、さらにプッシュポールを駆動し、シートポールに対して運動させる駆動装置を備える。
シートポールの下端は、固定台を通して、底台と可動接続する。
プッシュポールの上端は、連接台を通して、上サポートポール或いは下サポートポールと可動接続する。
シートポールの下端は、固定台を通して、底台と可動接続する。
プッシュポールの上端は、下サポートポールと上サポートポールが可動接続した可動接続モジュール上に可動接続される。
テントフレームポールは、サブサポートポールを備え、サブサポートポールは、Ｕ字型湾曲ポールで、その両端は、上サポートポール上に一方向に可動接続する。
テントフレームポールは、サブサポートポールを備え、サブサポートポールは、Ｕ字型湾曲ポールで、その両端は、下サポートポールと上サポートポールが可動接続した可動接続モジュール上に、一方向にそれぞれ可動接続される。
【００１２】
本発明は、テントフレームの２組のサポートポールユニット中に、駆動装置を備える伸縮プッシュポール機構をそれぞれ可動接続することで、伸縮ポールの長さ変化の駆動を利用し、テントフレームの展開/収納変化を制御するため、本発明テントフレームの構造はより簡単となる。
また、伸縮ポールの構造は、従来の技術の牽引ロープに比べ、運動ルートが短いだけでなく、構造強度に優れるため、プッシュポール式テントフレームの性能の安定性と信頼性を効果的に保証することができる。
【図面の簡単な説明】
【００１３】
【図１】従来の技術のテントフレームの展開模式図である。
【図２】本発明の折畳み状態を示す立体模式図である。
【図３】本発明の折畳み状態を示す側視図である。
【図４】本発明の展開過程を示す立体模式図である。
【図５】本発明の展開過程を示す側視図である。
【図６】本発明の完全展開状態を示す立体模式図である。
【図７】本発明の完全展開状態を示す側視図である。
【発明を実施するための形態】
【００１４】
本発明の一実施形態によるプッシュポール式テントフレームを図面に基づいて説明する。
図２〜７に示すように、本発明の一実施形態のテントフレームは、底台１、テントフレームポール２及びコントロール機構を備える。
【００１５】
底台１は、枠フレーム構造で、地面に設置でき、或いは自動車のボンネットに固定できる。
【００１６】
テントフレームポール２は、底台１左右両側に平行に設置する２組のサポートポールユニット２０を備え、しかも２組のサポートポールユニット２０の間には、強化横ポール２４を連接する。２組のサポートポールユニット２０は、相互に順番に可動接続するサポートポール２１、上サポートポール２２及び下サポートポール２３をそれぞれ備える。サポートポール２１の反対端は、底台１前端に可動接続し、下サポートポール２３の反対端は、底台１の後端に可動接続する。底台１、サポートポール２１と上サポートポール２２、下サポートポール２３は、テントフレームの展開時に、三角形に類似の形状を構成する。
【００１７】
コントロール機構は、２組のサポートポールユニット２０上にそれぞれ可動接続し、駆動装置を備える伸縮プッシュポール機構３を備える。各伸縮プッシュポール機構３の一端は、底台１左右両側の後部に近い位置にそれぞれ可動接続し、反対端は、上サポートポール２２或いは下サポートポール２３上に可動接続する。
【００１８】
各伸縮プッシュポール機構３は、シートポール３１、及びシートポール３１中で伸縮運動を行うプッシュポール３２を備え、さらにプッシュポール３２を駆動し、シートポール３１に対して運動させる駆動装置３３を備える。本実施形態中の駆動装置３３は、シートポール３１の下部に設置する。この駆動装置３３は、モーターである。
【００１９】
シートポール３１の下端は、固定台３４を通して、底台１と可動接続する。プッシュポール３２の上端は、連接台３５を通して、上サポートポール２２或いは下サポートポール２３と可動接続し、下サポートポール２３と上サポートポール２２が可動接続した可動接続モジュール上に可動接続することができる。
【００２０】
テントフレームポール２はさらに、サブサポートポール２５を備える。サブサポートポール２５は、Ｕ字型湾曲ポールで、その両端は、上サポートポール２２上に一方向に可動接続し、或いは下サポートポール２３と上サポートポール２２が可動接続した可動接続モジュール上に可動接続する。こうして、テントフレーム展開後のテント頂点部は、丸みを帯びる。ここでいう「一方向に可動接続」とは、サブサポートポール５は上サポートポール２２に相対して、逆時計回りに、本実施形態中の９０度に近い挟角のように、一定角度の展開のみ可能であるということである。展開角度が過大であれば、テント頂点部をぴんと張る効果を達成することはできない。
【００２１】
図２、３に示すように、本発明のテントフレームは、折畳み状態にある時、各ポールは、底台１上に接触している。伸縮プッシュポール機構３のプッシュポール３２は、ポール３１中に収納されている。
【００２２】
展開する時には、動駆動装置３３を作動させると、プッシュポール３２は駆動され、シートポール３１に対して外へと伸び出る。伸縮プッシュポール機構３の伸長に従い、図４、５に示すように、下サポートポール２３、上サポートポール２２を連動して上方へと持ち上げ、同時に、プッシュポール３２が予定位置へと移動するまで、サポートポール２１を上方へと持ち上げる。こうして、テントフレームの各サポートポールは、完全に展開する（図６、７参照）。
【００２３】
反対に、テントを折り畳む時には、駆動装置３３を起動し反対に作動させる。プッシュポール３２を引き、シートポール３１中へ収納するよう運動させる。これにより、プッシュポール３２は、下サポートポール２３或いは上サポートポール２２に対する押上げ作用を失い、各サポートポールが完全に折畳まれるまで、各ポールは重力の作用により下方へ向う。こうして、テントは折畳み状態となる。
【００２４】
本発明は、テントフレームの２組のサポートポールユニット２０中にそれぞれ可動接続する駆動装置３３を備える伸縮プッシュポール機構３を通して、伸縮ポールの長さ変化の駆動を利用し、テントフレームの展開/収納変化を制御し、こうして車のボンネット上で使用するテントフレームの構造は、より簡単となる。
【００２５】
また、伸縮ポールの構造は、従来の技術の牽引ロープに比べ、運動ルートが短いだけでなく、構造強度に優れるため、プッシュポール式テントフレームの性能の安定性と信頼性を効果的に保証することができる。
【００２６】
上述の実施形態の説明を総合すると、本発明の操作、使用、及び本発明が生じる効果を充分理解することができる。しかし、以上に述べた実施形態は単に本発明の好ましい実施形態であり、これによって本発明の特許請求の範囲を限定することではない。即ち本発明の特許請求の範囲及び説明書の内容に基づいて、同等効果を有する簡単な変化及び修飾は、全て、本発明の範囲内に属するものとする。
【符号の説明】
【００２７】
１  底台、
２  テントフレームポール、
２０  サポートポールユニット、
２１  サポートポール、
２２  上サポートポール、
２３  下サポートポール、
２４  横ポール、
２５  サブサポートポール、
３  伸縮プッシュポール機構、
３１  シートポール、
３２  プッシュポール、
３３  駆動装置、
３４  固定台、
３５  連接台、
２３’  中央サポートポール、
３１’  牽引ロープ、
３２’  ロープリール。
【図１】
2016050386.tif 000003
【図２】
2016050386.tif 000004
【図３】
2016050386.tif 000005
【図４】
2016050386.tif 000006
【図５】
2016050386.tif 000007
【図６】
2016050386.tif 000008
【図７】
2016050386.tif 000009